(57)【特許請求の範囲】
【請求項１】
不可視インクを用いて印刷された印刷面における不可視印刷部を可視化させるための可視化装置であって、
不可視印刷部を可視化するための特定の波長の光を照射するヘッド部と、
ヘッド部を、印刷面に対して上方から光が照射されるように支持する支持部とを備え、
光は、ピーク波長が３７５ｎｍ以上４１０ｎｍ以下の光である
可視化装置。
【請求項２】
印刷面における光の照射強度は、２８９μＷ／ｃｍ２以上４９６μＷ／ｃｍ２以下となるように設定される
請求項１に記載の可視化装置。
【請求項３】
不可視インクを用いて印刷された印刷面における不可視印刷部を可視化させるための可視化装置であって、
不可視印刷部を可視化するための特定の波長の光を照射するヘッド部と、
ヘッド部を、印刷面に対して上方から光が照射されるように支持する支持部とを備え、
印刷面における光の照射強度は、２８９μＷ／ｃｍ２以上４９６μＷ／ｃｍ２以下となるように設定される
可視化装置。
【請求項４】
ヘッド部は、側部が不透明でかつ下方が開放された筒状のセード部を備え、
セード部は、不可視印刷部全体又は不可視印刷部全体の多くの部分を同時に照射する広角の照射領域を画定する
請求項１ないし請求項３のいずれか１項に記載の可視化装置。
【発明の詳細な説明】
【技術分野】
【０００１】
本発明は、不可視インクを用いて印刷された印刷面における不可視印刷部を可視化させるための可視化装置に関する。
【背景技術】
【０００２】
従来より、採点作業の時間短縮を目的として、通常の印刷で設問が印刷され、解答記載箇所が設けられるとともに、不可視インクを用いて正解が印刷された印刷シートが知られている（特許文献１）。かかる印刷シートは、採点時にハンディタイプの紫外線照射器を持って印刷シートに紫外線を照射して正解（不可視印刷部）を可視化し、この可視化された正解と見比べながら解答者の解答を採点するというものである。
【０００３】
また、ハンディタイプであれば、片手が塞がって採点作業の作業効率が悪くなるため、特許文献１は、内部に紫外線を照射する光源を備え、印刷シートを置くことができる紫外線透過性透明板を上面に有する箱型の紫外線照射器も開示している。
【先行技術文献】
【特許文献】
【０００４】
【特許文献１】特開平１１−１１９６３５号公報
【発明の概要】
【発明が解決しようとする課題】
【０００５】
しかしながら、箱型の紫外線照射器は、紫外線が採点者の目に直接的に入射する構造であるため、安全上好ましくない。近年は、ＬＥＤ光源の普及に伴い、光の安全性への関心が高まっており、光の照射による目や皮膚への影響を評価する方法として、ＩＥＣ６２４７１（ＪＩＳ  Ｃ７５５０）が規格化されているところであり、この種の製品において、十分に配慮すべき事項となってきている。
【０００６】
そこで、本発明は、かかる事情に鑑みてなされたもので、安全性に配慮した可視化装置を提供することを課題とする。
【課題を解決するための手段】
【０００７】
本発明に係る可視化装置は、
不可視インクを用いて印刷された印刷面における不可視印刷部を可視化させるための可視化装置であって、
不可視印刷部を可視化するための特定の波長の光を照射するヘッド部と、
ヘッド部を、印刷面に対して上方から光が照射されるように支持する支持部とを備える
可視化装置である。
【０００８】
ここで、本発明に係る可視化装置において、
光は、ピーク波長が３７５ｎｍ以上４１０ｎｍ以下の光である。
【０００９】
また、本発明に係る可視化装置において、
印刷面における光の照射強度は、２８９μＷ／ｃｍ２以上４９６μＷ／ｃｍ２以下となるように設定される。
【００１０】
また、本発明に係る可視化装置の別の態様として、
ヘッド部は、側部が不透明でかつ下方が開放された筒状のセード部を備え、
セード部は、不可視印刷部全体又は不可視印刷部全体の多くの部分を同時に照射する広角の照射領域を画定する
との構成を採用することができる。
【発明の効果】
【００１４】
このように、本発明に係る可視化装置は、安全性に配慮したものであり、極めて有用である。
【図面の簡単な説明】
【００１５】
【図１】図１は、本発明の一実施形態に係る可視化装置の左側面図である。
【図２】図２は、可視化装置の正面図である。
【図３】図３は、可視化装置の外観斜視図である。
【図４】図４（ａ）は、可視化装置のヘッド部の左側面図（右側面図も同様）であり、図４（ｂ）は、ヘッド部の正面図である。
【図５】図５（ａ）は、ヘッド部の下面図であり、図５（ｂ）は、ヘッド部の上面図である。
【図６】図６（ａ）は、ヘッド部の一部断面を含む左側面図であり、図６（ｂ）は、ヘッド部の一部断面を含む正面図である。
【図７】図７（ａ）は、不可視インクを用いて正解が印刷された問題用紙の表面を示す図であり、図７（ｂ）は、問題用紙の裏面を示す図である。
【図８】図８（ａ）は、問題用紙の表面の解答記載箇所に解答者が解答を書き込んだ状態を示す図であり、図８（ｂ）は、問題用紙の裏面の解答記載箇所に解答者が解答を書き込んだ状態を示す図である。
【図９】図９（ａ）は、問題用紙の表面に可視化装置の光を照射して問題用紙の表面に印刷された正解（不可視印刷部）を可視化した状態を示す図であり、図９（ｂ）は、問題用紙の裏面に可視化装置の光を照射して問題用紙の裏面に印刷された正解（不可視印刷部）を可視化した状態を示す図である。
【図１０】図１０（ａ）は、問題用紙の表面に可視化装置の光を照射しても問題用紙の表面に印刷された正解（不可視印刷部）が可視化されない状態を示す図であり、図１０（ｂ）は、問題用紙の表面に可視化装置の光を照射することで問題用紙の裏面に印刷された正解（不可視印刷部）までが可視化されて問題用紙の表面から見えてしまう状態を示す図である。
【図１１】図１１（ａ）は、「可視化された不可視印刷部の見やすさ」に関する光の各波長の評価結果を示すグラフであり、図１１（ｂ）は、「不可視印刷部の裏写りの程度」に関する光の各波長の評価結果を示すグラフであり、図１１（ｃ）は、「採点作業の疲れ具合」に関する光の各波長の評価結果を示すグラフである。
【図１２】図１２（ａ）は、「可視化された不可視印刷部の見やすさ」に関する光の各照射強度の評価結果を示すグラフであり、図１２（ｂ）は、「不可視印刷部の裏写りの程度」に関する光の各照射強度の評価結果を示すグラフであり、図１２（ｃ）は、「採点作業の疲れ具合」に関する光の各照射強度の評価結果を示すグラフである。
【図１３】図１３（ａ）は、光の各波長の総合評価結果を示すグラフであり、図１３（ｂ）は、光の各照射強度の総合評価結果を示すグラフである。
【図１４】図１４は、他実施形態に係る可視化装置の外観斜視図である。
【図１５】図１５（ａ）は、他実施形態に係る可視化装置のヘッド部の左側面図（右側面図も同様）であり、図１５（ｂ）は、ヘッド部の下面図である。
【図１６】図１６（ａ）は、別の種類の問題用紙の表面に可視化装置の光を照射して問題用紙の表面に印刷された正解（不可視印刷部）を可視化した状態を示す図であり、図１６（ｂ）は、問題用紙の裏面に可視化装置の光を照射して問題用紙の裏面に印刷された正解（不可視印刷部）を可視化した状態を示す図である。
【発明を実施するための形態】
【００１６】
以下、本発明に係る可視化装置の一実施形態について、図１ないし図６を参酌して説明する。
【００１７】
図１ないし図３に示す如く、本実施形態に係る可視化装置１は、スタンド型（卓上型）の器具であり、ベース部２と、ベース部２に取り付けられ、可撓性を有するアーム部３と、ＬＥＤ光源４５が配置され、アーム部３に支持されるヘッド部４とを備える。本実施形態においては、ベース部２及びアーム部３がヘッド部４の支持部に相当する。
【００１８】
ベース部２は、机やテーブル等に載置される部分（台座部）で、その筐体内に電源回路（図示しない）を内蔵する。そして、ベース部２には、電源スイッチ２０が設けられるとともに、先端に電源プラグ２１を有する電源コード２２が延伸している。電源コード２２を介して電源の供給を受けた状態で電源スイッチ２０をＯＮ操作すれば、ＬＥＤ光源４５が発光するようになっている。
【００１９】
図４ないし図６に示す如く、ヘッド部４は、その筐体４０内にＬＥＤ光源４５の点灯回路（図示しない）を内蔵する。ヘッド部４の筐体４０は、上面視で略矩形状を有し、上筐体４１と下筐体４２とで構成される。下筐体４２は、開口４３を有し、開口４３には、光拡散板４４を介在させて、ＬＥＤ光源４５が配置される。なお、ＬＥＤ光源４５は、基板４６に固定された状態で配置される。
【００２０】
下筐体４２は、開口４３を囲うようにしてセード部４７を備える。セード部４７は、側部が不透明（略不透明の場合を含む）であって、下端が開放された筒状（本実施形態においては、角筒状）であり、机上におけるＬＥＤ光源４５の光の照射領域を画定する。セード部４７は、下筐体４２と一体に設けられ又は下筐体４２と別体に設けられるが下筐体４２に取り付けられる外枠４８と、外枠４８の内面全面に配置される反射板４９とで構成される。ただし、外枠４８の内面が相応の反射特性を有する場合は、反射板４９は必ずしも必要ではない。
【００２１】
ＬＥＤ光源４５は、不可視インク（インビジブルインク、たとえば、紫外線照射によって蛍光発色する蛍光インク）を用いて印刷された印刷シートの印刷面における不可視印刷部を可視化させるために、紫外線ＬＥＤ（ＵＶ−ＬＥＤ）が用いられる。
【００２２】
本実施形態に係る可視化装置１は以上の構成からなり、次に、この可視化装置１を用いた採点システムについて、図７ないし図１０を参酌して説明する。
【００２３】
本実施形態に係る採点システムは、概略を説明すると、解答記載箇所の近傍に不可視インクを用いて正解が印刷された解答用紙を用いて解答者に解答してもらい、採点時に解答用紙に可視化装置１の光を照射して正解（不可視印刷部）を可視化し、この可視化された正解と見比べながら解答者が解答記載箇所に記載した解答を採点するというものであり、採点者が解答者の解答を正確かつ効率的に採点することを可能とするシステムである。
【００２４】
図７は、通常の印刷で表面５ａ及び裏面５ｂのそれぞれに複数の設問（通常印刷部）５０が印刷された問題用紙５である。この問題用紙５は、各設問５０の右横に解答を書き込む解答用紙を兼ねている。本実施形態においては、問題用紙５の表面５ａ（図７（ａ））に５問の設問５０が印刷され、裏面５ｂ（図７（ｂ））に６問の設問５０が印刷されている。
【００２５】
また、当然に通常の照明環境下では見えないが、問題用紙５の解答記載箇所の近傍には、不可視インクを用いて正解が印刷されている。そのため、解答者は正解（不可視印刷部）を見ることはできない。解答者は、学校や学習塾等の教育機関における学習として、図８に示す如く、各設問５０を解いて解答記載箇所に解答５１を書き込む。
【００２６】
採点者は、各解答者から集めた複数の問題用紙５を採点するのであるが、このとき、可視化装置１の電源スイッチ２０をＯＮにし、問題用紙５の不可視印刷部全体に上方から可視化装置１の光が照射されるよう、可視化装置１の配置やヘッド部４の向き、角度等の各調整要素を調整する。
【００２７】
すると、図９に示す如く、可視化装置１の光の照射領域５２内において、正解（不可視印刷部）５３が可視化され、解答者が書き込んだ解答５１に近接して正解５３が表示される（本実施形態においては、緑色に発色）。そこで、採点者は、この可視化された正解５３と見比べながら解答者の解答５１を採点（答え合わせ）する。これを問題用紙５の表面５ａ（図９（ａ））及び裏面５ｂ（図９（ｂ））のそれぞれに対して行い、また、各問題用紙５に対して行う。
【００２８】
このように、本実施形態に係る採点システムによれば、採点者が正解を覚えておくとか、別紙の正解表と見比べながら採点作業を行うといった煩雑さが解消され、採点作業が非常に楽になる。これは、設問数が多いとか、解答者が多いために問題用紙５の採点枚数が多くなるほど顕著な効果となる。また、解答者の解答５１と正解５３が近接して常に採点者の同じ視界に入るため、採点ミスを防止することができる。したがって、本実施形態に係る採点システムによれば、採点者が解答者の解答を正確かつ効率的に採点することができる。
【００２９】
しかし、光による人体への影響を排除するために、光の波長はできるだけ長く、光の照射強度はできるだけ低くすべきである。ただし、可視化装置１の光の波長が適切でないとか、光の照射強度が弱いと、可視化装置１の光を照射しても問題用紙５に印刷された正解（不可視印刷部）５３が見えづらく、極端な場合は、図１０（ａ）に示す如く、可視化されない事態が生じ得る。逆に、可視化装置１の光の波長が適切でないとか、光の照射強度が強いと、極端な場合は、図１０（ｂ）に示す如く、可視化装置１の光を照射することで問題用紙５の反対面に印刷された正解（不可視印刷部）５４までが可視化されて問題用紙の表面から見えてしまう事態（いわゆる裏写り）が生じ得る。裏写りが生じると、問題用紙５が見にくくなり、最悪の場合は、反対面側の正解（不可視印刷部）５４が解答者が書き込んだ解答５１や正面側の正解（不可視印刷部）５３と重なって、読めなくなり、採点ミスが生じやすくなる。
【００３０】
そこで、本発明者は、これらの観点から、光の波長及び光の照射強度をどのように設定すればよいかについて検証を行った。
【００３１】
＜光の波長の検証＞
光の波長については、できるだけ長くすべきということで、ブルーライトの使用を検討した。そこで、ブルーライトの波長領域を中心として以下の１１種類のピーク波長のものを用意し、４名の各被験者が各波長の光を以下の照射条件で問題用紙に照射して採点作業を行い、各評価項目について評価した。
【００３２】
＜波長＞
No.1：365nm(日亜化学工業株式会社製365nmのＬＥＤ)
No.2：370nm(日亜化学工業株式会社製365nmのＬＥＤ+バンドパスフィルタ370±2nm)
No.3：375nm(日亜化学工業株式会社製375nmのＬＥＤ)
No.4：380nm(日亜化学工業株式会社製375nmのＬＥＤ+バンドパスフィルタ380±2nm)
No.5：385nm(日亜化学工業株式会社製385nmのＬＥＤ)
No.6：390nm(日亜化学工業株式会社製395nmのＬＥＤ+バンドパスフィルタ390±2nm)
No.7：395nm(日亜化学工業株式会社製395nmのＬＥＤ)
No.8：400nm(日亜化学工業株式会社製395nmのＬＥＤ+バンドパスフィルタ400±2nm)
No.9：405nm(日亜化学工業株式会社製405nmのＬＥＤ)
No.10：410nm(日亜化学工業株式会社製405nmのＬＥＤ+バンドパスフィルタ410±2nm)
No.11：415nm(日亜化学工業株式会社製405nmのＬＥＤ+バンドパスフィルタ415±2nm)
【００３３】
＜照射条件＞
照明環境：室内照度800ルクス
照射面（問題用紙５の表面）からヘッド部４（ＬＥＤ光源４５）までの高さ：250mm
照射領域：250mm×250mm
照射強度：413μW/cm2（照射領域の中心部のピーク強度（均斉度は±10%程度））
【００３４】
＜評価項目＞
見やすさ：可視化された不可視印刷部の見やすさをいい、各被験者が１０段階評価する。
裏写り：不可視印刷部の裏写りの程度をいい、各被験者が１０段階評価する。
疲れ：採点作業の疲れ具合をいい、各被験者が１時間継続して採点作業を行った後の疲れ具合を１０段階評価する。
【００３５】
「見やすさ」の結果を図１１（ａ）、「裏写り」の結果を図１１（ｂ）、「疲れ」の結果を図１１（ｃ）に示す。そして、これらの総合評価（各評価値を合計したもの）を図１３（ａ）に示す。
【００３６】
＜光の照射強度の検証＞
光の照射強度（照射領域の中心部のピーク強度（均斉度は±10%程度））については、できるだけ低くとの条件の下、以下の１１種類のもの（ＬＥＤに流す電流値を変えて調整）を用意した。光の波長の検証と同様、４名の各被験者が各照射強度の光を以下の照射条件で問題用紙に照射して採点作業を行い、各評価項目について評価した。
【００３７】
＜照射強度＞
No.1：289μW/cm2(電流値70%)（日亜化学工業株式会社製395nmのＬＥＤ)
No.2：310μW/cm2(電流値75%)（同上)
No.3：330μW/cm2(電流値80%)（同上)
No.4：351μW/cm2(電流値85%)（同上)
No.5：372μW/cm2(電流値90%)（同上)
No.6：413μW/cm2(電流値100%)（同上)
No.7：454μW/cm2(電流値110%)（同上)
No.8：475μW/cm2(電流値115%)（同上)
No.9：496μW/cm2(電流値120%)（同上)
No.10：516μW/cm2(電流値125%)（同上)
No.11：537μW/cm2(電流値130%)（同上)
なお、これらの数値は、照射面（問題用紙５の表面）における照射領域の中心部をＵＶ強度計を用いて測定し、相違ないことを確認している。
【００３８】
＜照射条件＞
照明環境：室内照度800ルクス
照射面（問題用紙５の表面）からヘッド部４（ＬＥＤ光源４５）までの高さ：250mm
照射領域：250mm×250mm
【００３９】
＜評価項目＞
見やすさ：可視化された不可視印刷部の見やすさをいい、各被験者が１０段階評価する。
裏写り：不可視印刷部の裏写りの程度をいい、各被験者が１０段階評価する。
疲れ：採点作業の疲れ具合をいい、各被験者が１時間継続して採点作業を行った後の疲れ具合を１０段階評価する。
【００４０】
「見やすさ」の結果を図１２（ａ）、「裏写り」の結果を図１２（ｂ）、「疲れ」の結果を図１２（ｃ）に示す。そして、これらの総合評価（各評価値を合計したもの）を図１３（ｂ）に示す。
【００４１】
＜考察＞
図１３（ａ）に示す結果から、光のピーク波長は、３７５ｎｍ以上が好ましく、３８０ｎｍ以上がより好ましく、３９０ｎｍ以上がさらに好ましく、また、４１０ｎｍ以下が好ましく、４０５ｎｍ以下がより好ましく、４００ｎｍ以下がさらに好ましいことがわかった。また、図１３（ｂ）に示す結果から、光の照射強度は、２８９μＷ／ｃｍ２以上が好ましく、３３０μＷ／ｃｍ２以上がより好ましく、３５１μＷ／ｃｍ２以上がさらに好ましく、また、４９６μＷ／ｃｍ２以下が好ましく、４７５μＷ／ｃｍ２以下がより好ましく、４５４μＷ／ｃｍ２以下がさらに好ましいことがわかった。
【００４２】
なお、裏写りについていえば、裏写りが全く生じないのが好ましいが、表面の視認性が阻害されず（裏写りが表面の視認性に実質的な影響を与えず）、このため、採点作業に支障が生じないのであれば、多少の裏写りは許容できる。図１１（ｂ）、図１２（ｂ）において、評価が「１０」に到達していないのはこのことを表している。また、請求項５の「防止ないし抑制」との記載はこのことを意図する趣旨である。
【００４３】
以上から、本実施形態に係る可視化装置１及び採点システムにおいて、光は、ピーク波長が３７５ｎｍ以上４１０ｎｍ以下の範囲内となるように設定し、印刷面における光の照射強度は、照射領域の中心部のピーク強度が２８９μＷ／ｃｍ２以上４９６μＷ／ｃｍ２以下の範囲内となるように設定することとした。これにより、安全性への配慮はもちろんのこと、可視化された正解（不可視印刷部）は見やすく、裏写りもないため、採点作業の作業効率がよく、また、採点者が長時間の採点作業でも疲れにくいという効果を得ることができた。
【００４４】
また、本実施形態に係る可視化装置１及び採点システムによれば、光の照射領域を画定する手段として、側部が不透明（略不透明の場合を含む）でかつ下方が開放されたセード部４７が設けられる。そして、ヘッド部４は、人の目の高さ位置よりも低い高さ位置に配置される。このため、下方からセード部４７内を覗かない限りは、ＬＥＤ光源４５はセード部４７に囲われて見えない。すなわち、本実施形態に係る可視化装置１及び採点システムによれば、印刷面に対して上方から光が照射され、かつ、視線が向く先の方向に光が照射されるため、光が人の目に直接的に入射することはない。これにより、採点者あるいは採点者のそばに立つ解答者がＬＥＤ光源４５を不測に直視してしまうのを防止することができる。
【００４５】
また、本実施形態に係る可視化装置１及び採点システムにおいて、光の照射領域は、２５０±５０ｍｍ角、すなわち縦横それぞれ２００ｍｍ以上、３００ｍｍ以下の範囲内の広角な矩形状に設定される。これにより、不可視印刷部全体を同時に照射することができるため、途中に問題用紙の位置をずらす必要はなく、問題用紙の一面を一回的に採点することができる。
【００４６】
また、本実施形態に係る可視化装置１及び採点システムによれば、光源のヘッド部４は、支持部（ベース部２及びアーム部３）によって支持される。このため、採点者は、ヘッド部４を支持するために手が取られることはない。これにより、採点作業の効率化及び時間短縮を図ることができる。
【００４７】
また、本実施形態に係る可視化装置１及び採点システムによれば、ヘッド部４は、可撓性を有するアーム部３によって、印刷面との間隔を変更可能である。これにより、印刷面における光の照射強度及び照射領域を好適な状態に調整することができる。
【００４８】
なお、本発明に係る可視化装置及び可視化方法並びに印刷シートは、上記実施形態に限定されるものではなく、本発明の要旨を逸脱しない範囲で種々の変更が可能である。
【００４９】
たとえば、上記実施形態においては、光の波長及び印刷面における光の照射強度（の少なくともいずれか）を所望の値に設定ないし調整することで、裏写りを防止することができる。また、必要に応じて、不可視インクの厚み（不可視印刷部の印刷層の厚み）や印刷シートの紙質（厚さ、密度）を適宜のものに設定ないし調整することによっても、裏写りを防止することができる。その上で、可視化装置１に調光機能を搭載し、光の照射強度の大小を調整することができるようにすれば、さらに裏写りの防止効果を高めることができる。また、この調光機能を使うことにより、各採点者は、見えやすい、裏写りしない、疲れにくいという各観点で、自分に合った照射強度を設定することができる。なお、この調光機能は、室内形状、室内構造、照明装置の配置箇所、照明装置の光量及び光質、時間的や季節的や室内への採光構造の相違に基づく室内に入射する太陽光の光量などを因子とする照明環境の相違ないし変化に対応できるという点でも、搭載するのが望ましい機能である。
【００５０】
また、上記実施形態においては、可視化装置１は、セード部４７（庇カバー）を備え、ＬＥＤ光源４５を直視できないようになっているが、可視化装置が倒れた場合は、不測に直視してしまうおそれがある。これを防止するために、可視化装置１に、傾斜センサや、ベース部２が載置面から離れたことを検知する裏面センサを設け、可視化装置が傾いたり、倒れると、ＬＥＤ光源４５の点灯がＯＦＦになる機能を設けるのが好ましい。
【００５１】
また、上記実施形態においては、可視化装置１のセード部４７は、角筒状であり、これにより、照射領域は、矩形状に設定される。しかし、照射領域の形状は、矩形状に限定されるものではなく、たとえば円形状であってもよい。この場合は、セード部４７は、図１４及び図１５に示す如く、円筒状のものとすればよい。
【００５２】
また、上記実施形態においては、可視化装置１は、ベース部２を机やテーブル等に載置するスタンド式である。しかし、ベース部２の代わりに、マグネット部、クランプ部又はクリップ部を用いるようにしてもよい。要するに、ヘッド部４を所要位置に支持する支持部の構造は特に限定されるものではなく、公知の各種の構造を採用することができる。この点、アーム部３も上記実施形態に限定されるものではなく、二以上のバーが関節接続されたアーム等、公知の各種の構造を採用することができる。あるいは、ベース部等とヘッド部とをたとえば自在継手で接続することで、アーム部を無くすこともできる。
【００５３】
また、上記実施形態においては、印刷シートとして、問題用紙が解答用紙を兼用するものが用いられる。しかし、問題用紙と解答用紙が別々になっているものであってもよい。
【００５４】
また、上記実施形態においては、解答用紙において、解答記載箇所ないし解答欄の近傍に正解（不可視印刷部）が印刷される。しかし、これに限定されるものではない。解答者の解答と正解（不可視印刷部）とを一回的に確認することができて採点作業を円滑に行うことができるのであれば、両者はある程度離間した位置に設けられるようにしてもよい。また、この観点からいえば、解答用紙に正解（不可視印刷部）が印刷されることは必須ではない。たとえば、解答用紙とは別に正解（不可視印刷部）が印刷された印刷シートを用意し、両者を並べて採点作業を行うようにしてもよい。
【００５５】
しかし、英語や国語等の科目において、正解が文章であるとか、正解が文章の一部であるとか、正解が語を並び替えて文章にするものであるとか、正解が英単語や英熟語のスペリングの正確さを重視するものであるといったように、情報量が多い場合や、解答と正解の詳細な対比が要求される場合は、正解（不可視印刷部）が解答の近傍にあることが重要である。たとえば、図１６に示す例がそうである。設問６）と設問９）の解答５１は誤っているが、仮に正解（不可視印刷部）５３が離れた箇所にあるとすると、その間違いが看過されるおそれがある。また、そもそもとして、正解（不可視印刷部）を解答から離間した位置に設けようにもその場所が確保できない紙面上の制約もあり得る。このように、正解（不可視印刷部）を解答の近傍に設けることにより、採点作業の正確性及び迅速性を担保することができる。他方、正解を解答の近傍に設けると、上述のとおり、裏写りによる見にくさ、ひいては採点ミスを誘発するおそれがある。しかし、光の波長及び印刷面における光の照射強度（の少なくともいずれか）を上述の所望の値に設定ないし調整することで、その問題も解消することができる。
【００５６】
また、上記実施形態においては、不可視印刷部全体（全ての正解（不可視印刷部））を同時に照射可能な照射領域が設定されることで、問題用紙の一面を一回的に採点することを可能にする。しかし、これに限定されるものではない。採点途中に問題用紙の位置をずらす必要があるとしても、それが１〜２回程度で済むのであれば、採点スピードはさほど変わらないので、その程度において照射領域は多少小さく設定されても構わない。
【００５７】
また、上記実施形態においては、印刷シートは、表面及び裏面の両面に印刷部（通常印刷部及び不可視印刷部）が印刷されるものである。しかし、印刷シートは、片面にのみ印刷されるものであってもよい。当然、この場合は、裏写りの問題は全く生じない。
【００５８】
また、本発明に係る可視化装置及び可視化方法は、教育活動の一環としての採点システムでの使用に限定されるものではない。すなわち、本発明に係る可視化装置及び可視化方法は、不可視インクを用いて印刷されたあらゆる種類の印刷シートに適用可能である。そして、印刷シートは、紙媒体に限定されるものではない。たとえば、紙、合成紙、プラスチックシート、金属シート又はこれらの適宜の積層体からなる印刷シートであってもよい。さらには、本発明に係る可視化装置は、印刷シートへの使用に限定されるものではない。すなわち、本発明に係る可視化装置は、印刷シート以外に、所定の形状の立方体の表面に印刷された印刷物等、あらゆる形態の印刷物に適用可能である。
【符号の説明】
【００５９】
１…可視化装置、２…ベース部、２０…電源スイッチ、２１…電源プラグ、２２…電源コード、３…アーム部、４…ヘッド部、４０…筐体、４１…上筐体、４２…下筐体、４３…開口、４４…光拡散板、４５…ＬＥＤ光源、４６…基板、４７…セード部、４８…外枠、４９…反射板、５…問題用紙（印刷シート）、５ａ…表面、５ｂ…裏面、５０…設問（通常印刷部）、５１…解答者が書き込んだ解答、５２…照射領域、５３…正解（不可視印刷部）、５４…裏写りした正解（不可視印刷部）
【図１】
0006905222.tif 000002
【図２】
0006905222.tif 000003
【図３】
0006905222.tif 000004
【図４】
0006905222.tif 000005
【図５】
0006905222.tif 000006
【図６】
0006905222.tif 000007
【図７】
0006905222.tif 000008
【図８】
0006905222.tif 000009
【図９】
0006905222.tif 000010
【図１０】
0006905222.tif 000011
【図１１】
0006905222.tif 000012
【図１２】
0006905222.tif 000013
【図１３】
0006905222.tif 000014
【図１４】
0006905222.tif 000015
【図１５】
0006905222.tif 000016
【図１６】
0006905222.tif 000017